(57)【要約】      （修正有）【課題】シールド及びシールドを具えたコネクタの提供。【解決手段】シールドはアウターシールド８０を具え、アウターシールド両側壁より下向きに延伸壁８３が延伸され、該延伸壁に第１係合部８４が設けられ、該アウターシールドの後側両側が前向きに折られて折り曲げ壁８７が設けられ、折り曲げ壁の外壁面が延伸壁の内壁面に当接し、折り曲げ壁に第１係合部に係合する第２係合部８８と外部基板に嵌止めされる固定ピン８５が設けられ、折り曲げ壁の外向きに張開及び延伸壁の内向きの係止により、二つの係合部が終始安定し信頼できる係合を形成し、これによりシールドが終始安定し、信頼できる係合状態にあり、変形、失効を発生しない。【選択図】図４
0003109261.tif 000002
【実用新案登録請求の範囲】
【請求項１】
アウターシールドを具え、アウターシールド両側壁より下向きに延伸壁が延伸され、該延伸壁に第１係合部が設けられ、各延伸壁より下向きに固定ピンが延伸され、アウターシールドの後側両側が前向きに折られて折り曲げ壁が設けられ、各折り曲げ壁に第２係合部が設けられ、該折り曲げ壁の外壁面と延伸壁の内壁面が対応して当接し、該第１係合部と第２係合部が対応し係合することを特徴とする、シールド。
【請求項２】
請求項１記載のシールドにおいて、第１係合部は係合孔とされ、第２係合部は該係合孔に対応し外向きに突出する係合ブロックとされることを特徴とする、シールド。
【請求項３】
請求項１記載のシールドにおいて、第１係合部は内向きに突出する係合ブロックとされ、第２係合部は該係合ブロックに対応する係合孔とされることを特徴とする、シールド。
【請求項４】
請求項１記載のシールドにおいて、アウターシールドがインナーシールドの外部を被覆することを特徴とする、シールド。
【請求項５】
請求項４記載のシールドにおいて、インナーシールドに複数のサスペンション弾性片が設けられ、これらサスペンション弾性片の自由端がインナーシールド内部に向けて折り曲げられて延伸され、アウターシールドにあって、該インナーシールドのサスペンション弾性片に対応する退縮孔が設けられたことを特徴とする、シールド。
【請求項６】
請求項１記載のシールドを具えたコネクタにおいて、プラスチックケースをさらに具え、該プラスチックケースの内部に複数の端子が固着され、外部が上記シールドで被覆されたことを特徴とする、シールドを具えたコネクタ。
【請求項７】
請求項６記載のシールドを具えたコネクタにおいて、プラスチックケースの両側面後端にそれぞれ切欠きが開設され、折り曲げ壁が延伸されて対応する切欠き内に進入することを特徴とする、シールドを具えたコネクタ。
【請求項８】
請求項６記載のシールドを具えたコネクタにおいて、インナーシールドをさらに具え、該インナーシールドが内部にプラスチックケースを収容し、該インナーシールドの外部がアウターシールドで被覆されたことを特徴とする、シールドを具えたコネクタ。
【請求項９】
請求項８記載のシールドを具えたコネクタにおいて、インナーシールドに複数のサスペンション弾性片が設けられ、これらサスペンション弾性片の自由端がインナーシールドの内部に向けて折り曲げられて延伸され、アウターシールドにあって、該インナーシールドのサスペンション弾性片に対応する退縮孔が設けられたことを特徴とする、シールド。
【請求項１０】
請求項８記載のシールドを具えたコネクタにおいて、プラスチックケースの外表面に位置制限溝が開設され、該位置制限溝の前端が閉じられ、後端が外界と連通し、インナーシールドにあって該位置制限溝に対応する位置制限片が設けられ、該位置制限片が下向きに傾斜して位置制限溝内に嵌め止めされることを特徴とする、シールドを具えたコネクタ。
【請求項１１】
請求項８記載のシールドを具えたコネクタにおいて、プラスチックケースの前端面に前向きに突出する一対の並列設置された底板が設けられ、この二つの底板の間に位置決め案内溝が形成され、該位置決め案内溝の後端が閉じられ、前端が外界と連通し、インナーシールドの底壁に下向きに延伸された位置制限柱が設けられて該位置決め案内溝内に挿入されたことを特徴とする、シールドを具えたコネクタ。
【請求項１２】
請求項８記載のシールドを具えたコネクタにおいて、プラスチックケースの前端面に前向きに突出する舌板が設けられ、舌板に複数の端子溝が設けられて対応する端子を収容し、プラスチックケースの前端面に前向きに突出する底板が形成され、該底板が舌板下方に位置し舌板との間に第１係合溝が形成され、底板上面前端が下向きに凹んで第２係合溝が形成され、且つ第１係合溝の後端が閉じられ前端が外界及び第２係合溝と連通し、インナーシールドの底壁が第１係合溝内に置かれ、アウターシールドの底壁が第２係合溝内に置かれたことを特徴とする、シールドを具えたコネクタ。
【考案の詳細な説明】
【技術分野】
【０００１】
本考案はシールド及びシールドを具えたコネクタに係り、特に、係合が確実で安定し、変形及び失効を発生しないシールド及びシールドを具えたコネクタに関する。
【背景技術】
【０００２】
デジタルコネクタはデジタルエンジニアが経常的に接触する一種の部品であり、その作用は非常に単純であり、即ち回路が遮断されているところ或いは孤立して不通の回路間にあって、コミュニケーションの架け橋となり、電流を流通させて、これにより回路の所定の機能を達成することにある。
【０００３】
よく目にされるデジタルコネクタはいずれもプラスチックケースを具え、内部に複数の端子が収容され、外部がシールドで被覆されている。該シールドの両側壁は下向きに延伸されて延伸壁が形成され、各延伸壁に係合孔が開設され、各延伸壁より下向きに固定ピンが延伸されて外部基板に嵌め止めされ、これによりこの周知のデジタルコネクタが基板に組付けられる。シールドの後壁両側は前向きに折り曲げられて延伸され折り曲げ壁が形成され、各折り曲げ壁に内向きに突出する係合ブロックが形成され、折り曲げ壁の内壁面が対応する延伸壁の外壁面に緊密に当接し、上述の係合ブロックが対応する係合孔内に内向きに係合し、これによりシールドが一体に係合されて上述のプラスチックケースを収容する。
【０００４】
ただし、上述の周知のシールドの折り曲げ壁は折り曲げ加工により形成されるために一定の弾性回復力を具え、並びに外向きの張開の趨勢を有する。このためこのような設計の周知のデジタルコネクタは、組立時に、施力不当によりシールドの折り曲げ壁が外向きに変形拡張し、これにより折り曲げ壁の係合ブロックが延伸壁の係合孔内より離脱し、これによりシールドは、安定し、信頼できる係合により一体とならなくなる。
【考案の開示】
【考案が解決しようとする課題】
【０００５】
本考案の第１の目的は、強固で、信頼できる係合で一体とされて変形失効を発生しないシールドを提供することにある。
【０００６】
本考案の第２の目的は、強固で、信頼できる係合で一体とされて変形失効を発生しないシールドを具えたコネクタを提供することにある。
【０００７】
上述の第１の目的を達成するため、本考案は一種のシールドを提供し、それは、アウターシールドを具え、アウターシールド両側壁より下向きに延伸壁が延伸され、該延伸壁に第１係合部が設けられ、各延伸壁より下向きに固定ピンが延伸され、アウターシールドの後側両側が前向きに折られて折り曲げ壁が設けられ、各折り曲げ壁に第２係合部が設けられ、該折り曲げ壁の外壁面と延伸壁の内壁面が対応して当接し、該第１係合部と第２係合部が対応し係合するものとされる。
【０００８】
上述の第２の目的を達成するため、本考案は上述のシールドを具えたコネクタを提供し、該コネクタは更にプラスチックケースを具え、プラスチックケース内部に複数の端子が固着され、プラスチックケースの外部が上述のシールドで被覆されたものとされる。
【０００９】
本考案の改良のため、上述のシールドの第１係合部は係合孔とされ、第２係合部は該係合孔に対応し外向きに突出する係合ブロックとされる。
【００１０】
本考案の改良のため、上述のシールドの第１係合部は内向きに突出する係合ブロックとされ、第２係合部はそれに対応する係合孔とされる。
【００１１】
本考案の改良のため、上述のシールドは更にインナーシールドを具え、該アウターシールドがインナーシールドの外部を被覆するものとされる。
【００１２】
本考案の改良のため、上述のシールドのインナーシールドに複数のサスペンション弾性片が設けられ、サスペンション弾性片の自由端が上述のインナーシールド内部に向けて折り曲げられて延伸され、アウターシールドにあって該インナーシールドの各サスペンション弾性片に対応する退縮孔が設けられたものとされる。
【００１３】
本考案の改良のため、上述のコネクタのプラスチックケースの外表面に位置制限溝が開設され、該位置制限溝の前端は閉じられ、後端は外界と連通し、上述のインナーシールドにあって該位置制限溝に対応する位置制限片が設けられ、該位置制限片は下向きに傾斜し該位置制限溝内に嵌止されるものとされる。
【００１４】
本考案の改良のため、上述のコネクタのプラスチックケースの前端面に前向きに突出する一対の並列設置された底板が設けられ、この二つの底板の間に位置決め案内溝が設けられ、該位置決め案内溝の後端は閉じられ、前端は外界と連通し、該インナーシールドの底壁が下向きに延伸されて位置制限柱が形成され、該位置制限柱が該位置決め案内溝内に対応し挿入されるものとされる。
【００１５】
本考案の改良のため、上述のコネクタのプラスチックケースの前端面より前向きに舌板が延伸され、舌板に複数の端子溝が開設され、それぞれ上述の端子に対応してそれを収容し、該プラスチックケースの前端面に更に前向きに突出する底板が形成され、該底板が舌板下方に位置し、並びに舌板との間に第１係合溝を形成し、底板上面前端が下向きに凹んで第２係合溝を形成し、且つ第１係合溝の後端が閉じられ、前端は外界及び第２係合溝と連通し、上述のインナーシールドの底壁が第１係合溝内に置かれ、上述のアウターシールドの底壁が第２係合溝内に置かれるものとされる。
【課題を解決するための手段】
【００１６】
請求項１の考案は、アウターシールドを具え、アウターシールド両側壁より下向きに延伸壁が延伸され、該延伸壁に第１係合部が設けられ、各延伸壁より下向きに固定ピンが延伸され、アウターシールドの後側両側が前向きに折られて折り曲げ壁が設けられ、各折り曲げ壁に第２係合部が設けられ、該折り曲げ壁の外壁面と延伸壁の内壁面が対応して当接し、該第１係合部と第２係合部が対応し係合することを特徴とする、シールドとしている。
請求項２の考案は、請求項１記載のシールドにおいて、第１係合部は係合孔とされ、第２係合部は該係合孔に対応し外向きに突出する係合ブロックとされることを特徴とする、シールドとしている。
請求項３の考案は、請求項１記載のシールドにおいて、第１係合部は内向きに突出する係合ブロックとされ、第２係合部は該係合ブロックに対応する係合孔とされることを特徴とする、シールドとしている。
請求項４の考案は、請求項１記載のシールドにおいて、アウターシールドがインナーシールドの外部を被覆することを特徴とする、シールドとしている。
請求項５の考案は、請求項４記載のシールドにおいて、インナーシールドに複数のサスペンション弾性片が設けられ、これらサスペンション弾性片の自由端がインナーシールド内部に向けて折り曲げられて延伸され、アウターシールドにあって、該インナーシールドのサスペンション弾性片に対応する退縮孔が設けられたことを特徴とする、シールドとしている。
請求項６の考案は、請求項１記載のシールドを具えたコネクタにおいて、プラスチックケースをさらに具え、該プラスチックケースの内部に複数の端子が固着され、外部が上記シールドで被覆されたことを特徴とする、シールドを具えたコネクタとしている。
請求項７の考案は、請求項６記載のシールドを具えたコネクタにおいて、プラスチックケースの両側面後端にそれぞれ切欠きが開設され、折り曲げ壁が延伸されて対応する切欠き内に進入することを特徴とする、シールドを具えたコネクタとしている。
請求項８の考案は、請求項６記載のシールドを具えたコネクタにおいて、インナーシールドをさらに具え、該インナーシールドが内部にプラスチックケースを収容し、該インナーシールドの外部がアウターシールドで被覆されたことを特徴とする、シールドを具えたコネクタとしている。
請求項９の考案は、請求項８記載のシールドを具えたコネクタにおいて、インナーシールドに複数のサスペンション弾性片が設けられ、これらサスペンション弾性片の自由端がインナーシールドの内部に向けて折り曲げられて延伸され、アウターシールドにあって、該インナーシールドのサスペンション弾性片に対応する退縮孔が設けられたことを特徴とする、シールドとしている。
請求項１０の考案は、請求項８記載のシールドを具えたコネクタにおいて、プラスチックケースの外表面に位置制限溝が開設され、該位置制限溝の前端が閉じられ、後端が外界と連通し、インナーシールドにあって該位置制限溝に対応する位置制限片が設けられ、該位置制限片が下向きに傾斜して位置制限溝内に嵌め止めされることを特徴とする、シールドを具えたコネクタとしている。
請求項１１の考案は、請求項８記載のシールドを具えたコネクタにおいて、プラスチックケースの前端面に前向きに突出する一対の並列設置された底板が設けられ、この二つの底板の間に位置決め案内溝が形成され、該位置決め案内溝の後端が閉じられ、前端が外界と連通し、インナーシールドの底壁に下向きに延伸された位置制限柱が設けられて該位置決め案内溝内に挿入されたことを特徴とする、シールドを具えたコネクタとしている。
請求項１２の考案は、請求項８記載のシールドを具えたコネクタにおいて、プラスチックケースの前端面に前向きに突出する舌板が設けられ、舌板に複数の端子溝が設けられて対応する端子を収容し、プラスチックケースの前端面に前向きに突出する底板が形成され、該底板が舌板下方に位置し舌板との間に第１係合溝が形成され、底板上面前端が下向きに凹んで第２係合溝が形成され、且つ第１係合溝の後端が閉じられ前端が外界及び第２係合溝と連通し、インナーシールドの底壁が第１係合溝内に置かれ、アウターシールドの底壁が第２係合溝内に置かれたことを特徴とする、シールドを具えたコネクタとしている。
【考案の効果】
【００１７】
本考案のシールドのアウターシールドの折り曲げ壁は外向きに延伸壁と当接、係合し、アウターシールドの固定ピンが外部基板に挿着される時、折り曲げ壁の外向きの張開と延伸壁の内向きの係止により、第１係合部と第２係合部が安定して係合し、これによりアウターシールドが終始強固で信頼できる係合状態を形成し、変形失効を発生しない。これと共に、本考案のアウターシールド内部は緊密にインナーシールドを被覆し、これによりシールドの強度が増され、対応するコネクタとの挿嵌過程において、大きな抜き差し力に耐え得て、変形失効を発生しないものとされる。
【考案を実施するための最良の形態】
【００１８】
図１から図３に示されるように、本考案のシールドは、アウターシールド８０と、該アウターシールド８０の内部に被覆されたインナーシールド６０を具えている。
【００１９】
図２及び図３に示されるように、インナーシールド６０内部には挿嵌空間６２が形成され、該挿嵌空間６２の前後両端がいずれも外界に連通している。インナーシールド６０の上壁に一対のサスペンション弾性片６４が設けられ、これらサスペンション弾性片６４は上壁前端両側より縦向きに延伸され、上壁後端に一対の位置制限片６６が設けられ、該位置制限片６６は上述のサスペンション弾性片６４の位置に対応する位置に設けられ、並びに下向きに傾斜して延伸され挿嵌空間６２内に進入する。インナーシールド６０の底壁後端は開放され、底壁前端にも一対のサスペンション弾性片６４が設けられ、底壁後端のほぼ中部に下向きに垂直に折り曲げられて延伸された位置制限柱６８が設けられている。インナーシールド６０の両側壁にもサスペンション弾性片６４が設けられるが、その長さは上壁及び底壁のサスペンション弾性片６４より長い。これらサスペンション弾性片６４の自由端はいずれも挿嵌空間６２に向けて折り曲げられて延伸され、挿嵌空間６２内の対応コネクタ（図示せず）のシールドに圧接してそれを挟持するのに用いられ、これにより二つのコネクタ間が強固に組み合わされる。
【００２０】
図１と図４を参照されたい。アウターシールド８０の形状とインナーシールド６０は対応し、アウターシールド８０内部に挟持空間８１が形成され、挟持空間８１の前端は外界と連通し、後端は組立後にアウターシールド８０の後壁により閉じられて、インナーシールド６０の挟持、嵌合に供される。アウターシールド８０の上壁、底壁及び両側壁はインナーシールド６０の各サスペンション弾性片６４の自由端に対応して複数の退縮孔８２が開設され、サスペンション弾性片６４と対応コネクタのシールドの圧接挟持時に必要な退縮空間を形成する。アウターシールド８０の底壁後端は開放され、両側壁後端に下向きに延伸された延伸壁８３が設けられ、各延伸壁８３の後端に、第１係合部とされる係合孔８４が開設され、延伸壁８３の底端前後両端に下向きに延伸された固定ピン８５が形成され、該固定ピン８５は本考案のシールドを外部基板（図示せず）に固定するのに供される。アウターシールド８０の後壁は一対の連接片８６で上壁に接続されて一体とされ、組立前には図４に示されるように、上壁と平行とされ、組立後には図３に示されるように、折り曲げられて上壁と垂直とされ、後壁両側の底端に近い部分が前向きに折り曲げられて延伸されて折り曲げ壁８７が形成され、各折り曲げ壁８７に外向きに突出し、第２係合部とされる係合ブロック８８が形成されている。
【００２１】
更に図１に示されるように、本考案の上述のシールドを具えたコネクタ１００は、更にプラスチックケース２０を具え、該プラスチックケース２０は上述のインナーシールド６０の挿嵌空間６２内に挿嵌され、並びに複数の端子４０が内部に固着されている。
【００２２】
図２及び図３に示されるように、プラスチックケース２０の上面に一対の位置制限溝２１が開設され、この一対の位置制限溝２１は上面両側に位置し且つ縦向きに延伸され、その前端は閉じられ、後端は外界と連通している。プラスチックケース２０の前端面より舌板２２及び、舌板２２の下方に位置し且つ並列設置された一対の底板２４が延伸されている。上述の舌板２２に縦向きに複数の端子溝２３が開設されて、対応する端子４０が嵌め止めされる。上述の二つの底板２４の間に位置決め案内溝２６が形成され、位置決め案内溝２６の後端は閉じられ、前端は外界と連通し、上述の底板２４とプラスチックケース２０の舌板２２の間に第１係合溝２７が形成され、別にこれら底板２４の上面前端がさらに下向きに凹んで第２係合溝２８が形成され、第１係合溝２７の後端は閉じられ、前端は外界及び第２係合溝２８と連通する。プラスチックケース２０の両側面後端の底端近い部分にそれぞれ切欠き２５が形成され、アウターシールド８０の係止位置決めに供される。
【００２３】
本考案のコネクタ１００の組立過程は以下のようである。
【００２４】
複数の端子４０がプラスチックケース２０の端子溝２３内に対応し嵌止され、その後、プラスチックケース２０がインナーシールド６０の挿嵌空間６２の位置に合わされ、並びに後ろ向きにインナーシールド６０が押動され、このとき、インナーシールド６０の位置制限片６６はプラスチックケース２０の上壁に沿ってスライドし並びに位置制限溝２１内に嵌入し、これによりインナーシールド６０のプラスチックケース２０に対する前向き移動が制限され、位置制限柱６８及びインナーシールド６０の底壁がプラスチックケース２０の位置決め案内溝２６及び第１係合溝２７内に対応して置かれ、これによりインナーシールド６０のプラスチックケース２０に対する後ろ向き運動が制限される。
【００２５】
続いて、インナーシールド６０がアウターシールド８０の挟持空間８１に位置を合わされ、並びに後ろ向きにアウターシールド８０に押動され、このとき、アウターシールド８０の内壁面が緊密にインナーシールド６０の外壁面に当接してスライドし、アウターシールド８０の底壁がプラスチックケース２０の第２係合溝２８内に置かれ、これによりアウターシールド８０のプラスチックケース２０に対する後ろ向き運動が制限される。
【００２６】
最後に、アウターシールド８０の後壁が下向きに折り曲げられ、各折り曲げ壁８７がプラスチックケース２０の切欠き２５内に対応し挿入され、このとき、折り曲げ壁８７の外壁面が延伸壁８３の内壁面に当接し、折り曲げ壁８７の係合ブロック８８が外向きに延伸壁８３の係合孔８４内に係合し、これによりアウターシールド８０のプラスチックケース２０に対する前向きの運動が制限される。
【００２７】
本考案のシールドのアウターシールドの折り曲げ壁は外向きに延伸壁と当接、係合し、アウターシールドの固定ピンが外部基板に挿着される時、折り曲げ壁の外向きの張開と延伸壁の内向きの係止により、第１係合部と第２係合部が安定して係合し、これによりアウターシールドが終始強固で信頼できる係合状態を形成し、変形失効を発生しない。これと共に、本考案のアウターシールド内部は緊密にインナーシールドを被覆し、これによりシールドの強度が増され、対応するコネクタとの挿嵌過程において、大きな抜き差し力に耐え得て、変形失効を発生しないものとされる。
【００２８】
以上に記載されたものは本考案の好ましい実施例の一つであり、具体的に設計する時は、本考案の目的を達成可能なその他の等しい効果の技術手段、例えば、アウターシールド８０のみを設計してインナーシールド６０を省略し、並びにインナーシールド６０を消去すると共に、サスペンション弾性片６４をアウターシールド８０に設けるか、或いは第１係合部の係合孔８４を折り曲げ壁８７に設けて、第２係合部の係合ブロック８８を延伸壁８３に設けて並びに内向きに突出させることができる。このような等しい効果の技術手段への交換も本考案の請求範囲に属するものとする。
【図面の簡単な説明】
【００２９】
【図１】本考案のコネクタの立体組合せ図である。
【図２】本考案のコネクタの立体分解図である。
【図３】本考案のコネクタのもう一つの立体分解図である。
【図４】本考案のシールドのアウターシールドの組付け前の立体図である。
【符号の説明】
【００３０】
１００  コネクタ
２０  シールド                                ２１  位置制限溝
２２  舌板                                    ２３  端子溝
２４  底板                                    ２５  切欠き
２６  位置決め案内溝                          ２７  第１係合溝
２８  第２係合溝                              ４０  端子
６０  インナーシールド                        ６２  挿嵌空間
６４  サスペンション弾性片                    ６６  位置制限片
６８  位置制限柱                              ８０  アウターシールド
８１  挟持空間                                ８２  退縮孔
８３  延伸壁                                  ８４  係合孔
８５  固定ピン                                ８６  連接片
８７  折り曲げ壁                              ８８  係合ブロック
【図１】
0003109261.tif 000003
【図２】
0003109261.tif 000004
【図３】
0003109261.tif 000005
【図４】
0003109261.tif 000006